【手続補正書】
【提出日】平成24年8月6日(2012.8.6)
【手続補正１】
【補正対象書類名】明細書
【補正対象項目名】０００２
【補正方法】変更
【補正の内容】
【０００２】
近年、省資源や地球環境保全の要求が高まり、古紙および損紙のリサイクル率が高くなってきており、これまで脱墨や異物除去が困難であった雑誌の他、ラミネート処理された紙容器なども紙料として用いられるようになってきている。
そうした古紙や損紙などの紙料について資源サイクルを行うために紙料スラリを作るパルパーは、これまで容器内に水と薬剤を混合した溶液と紙料を投入し、一定期間混合撹拌して離解が完了した後、排出口を開放して紙料スラリを全量取り出す、いわゆるバッチ式のものや、紙料スラリを連続して取り出すものとしては、本出願人が提案した特開２００３−１９３３８３に開示された連続式パルパーがある。
【手続補正２】
【補正対象書類名】明細書
【補正対象項目名】００１０
【補正方法】変更
【補正の内容】
【００１０】
上記課題を解決するために、本発明のドラム式濾過装置では、目孔の形成された横置きのドラムスクリーンと、その下部に配置された希釈水を貯める希釈撹拌槽とを有し、下部を希釈撹拌槽内に浸けた前記ドラムスクリーンを回転して内部に供給された紙料スラリを軸方向に送りながら希釈撹拌槽内で希釈し、前記目孔を通して濾過するドラム式濾過装置において、前記希釈撹拌槽は、前記ドラムスクリーンの回転方向に沿って、底板と前記ドラムスクリーンとの間隔が小さくなる第１槽と、前記底板と前記ドラムスクリーンとの間隔が大きくなる第２槽とを、前記ドラムスクリーンとの間に形成しており、前記ドラムスクリーンは、前記希釈撹拌槽を通過する際に前記希釈水を掻いて前記希釈水を撹拌する撹拌羽根が外周面に複数突設され、前記希釈撹拌槽が前記第１槽と前記第２槽との間の前記底板を前記撹拌羽根に接触しないように近づけて浅くされており、前記第１槽と前記第２槽との間における前記底板と前記撹拌羽根との距離を前記第１槽及び前記第２槽における前記底板と前記撹拌羽根との距離より小さくしていて、前記底板は、前記軸方向から見たとき少なくとも幅方向における中央部分が円弧状に形成されたものである。
【手続補正３】
【補正対象書類名】明細書
【補正対象項目名】００１１
【補正方法】変更
【補正の内容】
【００１１】
本発明のドラム式濾過装置では、前記第１槽と前記第２槽との間における前記底板及び前記第１槽及び前記第２槽における前記底板が、円弧状に形成されていることが好ましい。
【手続補正４】
【補正対象書類名】明細書
【補正対象項目名】００１４
【補正方法】変更
【補正の内容】
【００１４】
また、上記課題を解決するために、本発明の紙料再生システムでは、紙料を溶液と混合撹拌して離解させることによって所定濃度の紙料スラリを作る縦型連続式パルパーと、前記縦型連続式パルパーから取り出された紙料スラリに希釈水を加えて希釈しつつ異物を取り除くドラム式濾過装置とを有する紙料再生システムにおいて、希釈撹拌槽は、ドラムスクリーンの回転方向に沿って、底板と前記ドラムスクリーンとの間隔が小さくなる第１槽と、前記底板と前記ドラムスクリーンとの間隔が大きくなる第２槽とを、前記ドラムスクリーンとの間に形成しており、前記ドラムスクリーンは、前記希釈撹拌槽を通過する際に前記希釈水を掻いて前記希釈水を撹拌する撹拌羽根が外周面に複数突設され、前記希釈撹拌槽が前記第１槽と前記第２槽との間の前記底板を前記撹拌羽根に接触しないように近づけて浅くされており、前記第１槽と前記第２槽との間における前記底板と前記撹拌羽根との距離を前記第１槽及び前記第２槽における前記底板と前記撹拌羽根との距離より小さくしていて、前記底板は、軸方向から見たとき少なくとも幅方向における中央部分が円弧状に形成されたものである。
【手続補正５】
【補正対象書類名】明細書
【補正対象項目名】００２６
【補正方法】変更
【補正の内容】
【００２６】
図２及び図３に示すように、ドラム式濾過装置３０では、ドラムスクリーン３３の低部が希釈水へ浸かりながら回転し、その希釈撹拌槽５２部分で紙料スラリの希釈と紙料の濾過が行われるようになっている。そして、本実施形態では、そうした希釈撹拌槽５２にドラムスクリーン３３の目詰まりを起こさないようにするための希釈水の流れをつくる構成がとられている。すなわち、底板５２ａは、図３に示すように、その断面形状がドラムスクリーン３３より大きい曲率半径の円弧であり、ドラムスクリーン３３の軸心と底板５２ａの中央を合わせ、最も低いその中央位置でドラムスクリーン３３の撹拌羽根５６が最も接近するように配置されている。そして、本実施形態では、希釈撹拌槽５２の深さが浅いため、その中央位置での底板５２ａと撹拌羽根５６との距離が極めて小さく設計されている。
【手続補正６】
【補正対象書類名】明細書
【補正対象項目名】００３２
【補正方法】変更
【補正の内容】
【００３２】
一方、止水プレート５７を越えると希釈水は目孔４２を通して抜けてしまい、残った紙料スラリや異物はそのままスクリュウ羽根４３に送られて、図２の左側端部からドラムスクリーン３３を出てリジェクト排出口５４から排出される。従って、本来再生紙の原料となるべき紙料が異物と一緒に排出されてしまっているため、希釈撹拌槽５２内で紙料を効率良く濾過する必要があり、本実施形態ではそのための手段として希釈水の流れをコントロールして目詰まりを防止している。
【手続補正７】
【補正対象書類名】明細書
【補正対象項目名】００３４
【補正方法】変更
【補正の内容】
【００３４】
すなわち、図面右から中央部へと押された希釈水は、撹拌羽根５６の移動方向にドラムスクリーン３３と底板５２ａとの間隔が狭く変化する第１槽Ｐに送られる。そして、第１層Ｐによって希釈水は加圧状態になり、矢印Ｘ１，Ｘ２に示すように目孔４２を通ってドラム内に勢いよく吹き込む。このとき、希釈撹拌槽５２の底板５２ａと撹拌羽根５６との間の最小隙間間隔が最小となる部分において、先の撹拌羽根５６が希釈水が第１槽Ｐと第２槽Ｑとの間を塞き止めるように移動するため、後の撹拌羽根５６が先の撹拌羽根５６との間で希釈水を圧縮し、希釈水がドラムスクリーン３３内へ勢いよく流入する。
一方、撹拌羽根５６によって中央部分から図面左へと押された希釈水は、逆に撹拌羽根５６の移動方向にドラムスクリーン３３と底板５２ａとの間隔が広く変化する第２槽Ｑに送られる。そして、第２槽Ｑによって希釈水は負圧状態になり、矢印Ｘ３に示すように目孔４２を通るドラム外への流れを生じさせる。このとき、希釈撹拌槽５２の底板５２ａと撹拌羽根５６との間の最小隙間間隔が最小となる部分において、先の撹拌羽根５６が最小隙間部分を通過すると、最小隙間部分の希釈水が第２槽Ｑへ拡散し、水圧が低下するため、希釈水がドラムスクリーン３３から希釈撹拌槽５２へ流れやすい。
【手続補正８】
【補正対象書類名】特許請求の範囲
【補正対象項目名】全文
【補正方法】変更
【補正の内容】
【特許請求の範囲】
【請求項１】
目孔の形成された横置きのドラムスクリーンと、その下部に配置された希釈水を貯める希釈撹拌槽とを有し、下部を希釈撹拌槽内に浸けた前記ドラムスクリーンを回転して内部に供給された紙料スラリを軸方向に送りながら希釈撹拌槽内で希釈し、前記目孔を通して濾過するドラム式濾過装置において、
前記希釈撹拌槽は、前記ドラムスクリーンの回転方向に沿って、底板と前記ドラムスクリーンとの間隔が小さくなる第１槽と、前記底板と前記ドラムスクリーンとの間隔が大きくなる第２槽とを、前記ドラムスクリーンとの間に形成しており、
前記ドラムスクリーンは、前記希釈撹拌槽を通過する際に前記希釈水を掻いて前記希釈水を撹拌する撹拌羽根が外周面に複数突設され、
前記希釈撹拌槽が前記第１槽と前記第２槽との間の前記底板を前記撹拌羽根に接触しないように近づけて浅くされており、前記第１槽と前記第２槽との間における前記底板と前記撹拌羽根との距離を前記第１槽及び前記第２槽における前記底板と前記撹拌羽根との距離より小さくしていて、
前記底板は、前記軸方向から見たとき少なくとも幅方向における中央部分が円弧状に形成されたものであることを特徴とするドラム式濾過装置。
【請求項２】
請求項１に記載するドラム式濾過装置において、
前記第１槽と前記第２槽との間における前記底板及び前記第１槽及び前記第２槽における前記底板は、円弧状に形成されている
ことを特徴とするドラム式濾過装置。
【請求項３】
請求項１に記載するドラム式濾過装置において、
前記撹拌羽根は前記ドラムスクリーンの円周方向に等間隔に配置され、
前記希釈撹拌槽は、前記撹拌羽根と前記底板との間の最小隙間部分が少なくとも前記撹
拌羽根の１配置間隔分確保されている
ことを特徴とするドラム式濾過装置。
【請求項４】
請求項１に記載するドラム式濾過装置において、
前記希釈撹拌槽は、前記第１槽と第２槽の広さを前記底板の形状によって変えている
ことを特徴とするドラム式濾過装置。
【請求項５】
紙料を溶液と混合撹拌して離解させることによって所定濃度の紙料スラリを作る縦型連
続式パルパーと、前記縦型連続式パルパーから取り出された紙料スラリに希釈水を加えて
希釈しつつ異物を取り除くドラム式濾過装置とを有する紙料再生システムにおいて、
希釈撹拌槽は、ドラムスクリーンの回転方向に沿って、底板と前記ドラムスクリーンと
の間隔が小さくなる第１槽と、前記底板と前記ドラムスクリーンとの間隔が大きくなる第
２槽とを、前記ドラムスクリーンとの間に形成しており、
前記ドラムスクリーンは、前記希釈撹拌槽を通過する際に前記希釈水を掻いて前記希釈
水を撹拌する撹拌羽根が外周面に複数突設され、
前記希釈撹拌槽が前記第１槽と前記第２槽との間の前記底板を前記撹拌羽根に接触しな
いように近づけて浅くされており、前記第１槽と前記第２槽との間における前記底板と前
記撹拌羽根との距離を前記第１槽及び前記第２槽における前記底板と前記撹拌羽根との距
離より小さくしていて、
前記底板は、軸方向から見たとき少なくとも幅方向における中央部分が円弧状に形成されたものである
ことを特徴とする紙料再生システム。